(57)【特許請求の範囲】
【請求項１】
光ファイバを接続する光コネクタであって、
前記光ファイバを収容するハウジング、第１の面と該第１の面に対して垂直で対向する第２の面および第３の面とを有した紫外線を透過するガラス部材、および挿入された前記光ファイバを調心するガイド孔を有するガイド部品を備え、
前記ハウジングは、前記光ファイバを整列させるための溝を有する底面と、前記溝の長手方向に離間して配置され、前記底面に対して垂直な垂直面を有する第１のストップ部および第２のストップ部を有し、
前記ガラス部材は、前記第２の面と前記第１のストップ部の垂直面とが対向し、前記第３の面と前記第２のストップ部の垂直面とが対向するように、前記第１および第２のストップ部の間に配置され、
前記光ファイバの中間部分は、前記底面と前記ガラス部材の第１の面に挟まれ、前記ガラス部材の第１の面と前記底面とで光ファイバを挟んだ領域、前記第１のストップ部の垂直面と前記ガラス部材の第２の面との隙間、および前記第２のストップ部の垂直面と前記ガラス部材の第３の面との隙間に紫外線硬化型樹脂が充填されることにより、前記ハウジングに対して前記光ファイバが固定されることを特徴とする光コネクタ。
【請求項２】
前記光コネクタは、前記光ファイバが前記ガラス部材と前記ハウジングに挟まれた固定領域と先端との間に被覆を有する光コネクタであって、
前記光ファイバは、前記固定領域において、前記光ファイバの長手方向の中間部分に被覆が除去された領域、前記光ファイバの長手方向の両端部分に被覆を有する領域をそれぞれ有していることを特徴とする請求項１に記載の光コネクタ。
【請求項３】
前記ガラス部材は、前記光ファイバに対向する面の中央に該面に対して直角方向に貫通する孔、もしくは、前記光ファイバに接する面に直角かつ前記光ファイバの長手方向に平行な面から前記光ファイバに対向する面の中央に向かうスリットを有することを特徴とする請求項１又は２に記載の光コネクタ。
【発明の詳細な説明】
【技術分野】
【０００１】
本発明は光ファイバコネクタに関し、より詳細には、光信号処理装置、あるいは情報処理装置の内部において、光ファイバ同士、あるいは光部品と光ファイバとを接続する光ファイバコネクタに関する。
【背景技術】
【０００２】
地上デジタル放送の配信や音楽、映像などの高品質なコンテンツのオンデマンド配信など有線ネットワークを用いた各種サービスの需要が増大し、インターネットや次世代ネットワーク（ＮＧＮ：Ｎｅｘｔ  Ｇｅｎｅｒａｔｉｏｎ  Ｎｅｔｗｏｒｋ）といったＩＰ系ネットワークの構築が進み、情報伝送の大容量化が進んでいる。これに伴い、物理レイヤの観点では、光ファイバを伝送路とした光ネットワークが急激に発達している。例えば、基幹系あるいはメトロ系光ネットワークでは、波長多重方式を基本とした高度で大容量な光伝送方式が導入され、アクセス系でもＰＯＮ（Ｐａｓｓｉｖｅ  Ｏｐｔｉｃａｌ  Ｎｅｔｗｏｒｋ）方式を用いて回線の光化が急速に進んでいる。光ネットワークにおけるＲＯＡＤＭ（ｒｅｃｏｎｆｉｇｕｒａｂｌｅ  ｏｐｔｉｃａｌ  ａｄｄ／ｄｒｏｐ  ｍｕｌｔｉｐｌｅｘｅｒ）等の各種の光信号処理装置においては、信号処理の高度化、大規模化に伴い、装置内部（ボード内、ボード間）での光ファイバ配線の複雑化、チャネル数（光ファイバ本数）の増大が生じている。一方、ＩＰネットワークにおけるハイエンドルータやハイエンドサーバ、あるいは大型超高速コンピュータ等においては、装置内や装置間での超高速データ伝送を達成するため、従来の電気（メタル）配線による伝送に代わって、光インタコネクションの導入が進んでいる。
【０００３】
以上を背景として、前記装置の製造において、装置内の光ファイバ配線実装の作業性を向上させ、光ファイバ配線をコンパクト化（光ファイバ配線の幾何学的レイアウトを効率化）することが求められている。そのための有望な手段は、融着接続法を用いて光ファイバ配線を接続する代わりに、光コネクタを用いて接続することである。融着接続法を用いる場合、光ファイバに余長が生じ、それを装置内に収容するために、手間とスペースが必要になるが、光コネクタを用いれば、光ファイバの余長は不要となる。
【０００４】
そこで、特に、複数本の光ファイバを一括して接続する多心形の光コネクタの需要が増大している。ここで言う多心形光コネクタには、光ファイバ同士を接続する光コネクタだけでなく、光導波路をベースとした光部品あるいは半導体レーザやフォトダイオードといった光素子を含む光部品と光ファイバとを接続する光コネクタも含まれる。前記装置の小型化（処理能力あたりの装置体積が小さい）や低コスト化（処理能力あたりの製造コストが低い）を達成するためには、これらの光コネクタは、必要な性能を持ちつつ、小型、低コスト、高信頼性（長期間の使用に耐えられる）であることが求められる。
【０００５】
以上のような光コネクタに対する要求条件を満足できる可能性の高い有望な光コネクタとして、フェルールを用いず、ガイド部品のガイド孔により光ファイバを調心し、さらに光ファイバを座屈させ、その弾性力で光ファイバ端面のＰＣ（Ｐｈｙｓｉｃａｌ  Ｃｏｎｔａｃｔ）を実現する多心形光コネクタが特許文献１および２に記載されている。
【０００６】
図１に、従来の第１の光コネクタの構造を示す。この光コネクタは、大まかには、光ファイバ５０を収容したプラグ１０およびジャック４０、およびガイド部品３１を有するアダプタ３０から構成される。プラグ１０およびジャック４０を対向させてアダプタ３０に嵌合させることにより、光接続が実現される。この例では、接続される光ファイバ５０は、４本同士である（特許文献１参照）。
【０００７】
この光コネクタで使用する光ファイバ５０は、図１（ｃ）に示すように、被覆が除去された状態（素線の状態）でも、薄いポリマ層５２をクラッド（石英）５３の周囲に有している。素線（ポリマ層を含む）の直径は約１２５μｍである。以後、このような光ファイバ５０をＰＳＣ（Ｐｏｌｙｍｅｒ  Ｓｋｉｎ  ｃｏａｔｅｄ）ファイバと呼ぶことにする。一般に光ファイバ５０は被覆を除去すると、曲げたときに破断し易くなる。ＰＣＳファイバでは、素線状態にしても、表面にポリマ層５２を有するために、湾曲させても破断する可能性は非常に低い。
【０００８】
プラグ１０およびジャック４０においては、光ファイバ５０は被覆が除去されて素線の状態になっている。さらに光ファイバ５０は片持ち梁の状態になるように、長手方向の中間部分がプラグ・ハウジング１１あるいはジャック・ハウジング４１に固定される。プラグ・ハウジング１１およびジャック・ハウジング４１は、一般的には、樹脂を材料とした成形部品である。光ファイバ５０の先端面は、長手方向に直角かつ平坦な面に加工される。プラグ１０においては、光ファイバ先端は、プラグ・ハウジング１１の先端より僅かに（ΔＬだけ）突き出している。ジャック４０においては、光ファイバ５０の先端は、ジャック・ハウジング４１の端面とほぼ同一面に位置する。プラグ１０における光ファイバ５０の片持ち梁状態の部分の長さは、ジャック４０におけるそれよりも長くなるように設計される。ガイド部品２０は、光ファイバ５０の素線の直径より僅かに大きな内径（Φ１２６μｍ程度）のガイド孔２１を有する。
【０００９】
プラグ１０とジャック４０をアダプタ３０に嵌合させると、それぞれの光ファイバ５０の先端は対応するガイド孔２１に挿入され、対向する光ファイバ５０同士はガイド孔２１により調心（軸合わせ）される。プラグ・ハウジング１１とジャック・ハウジング４１の先端同士が接触するまで両者を嵌合させると、プラグ１０においては、ΔＬだけ突き出した分だけ光ファイバ先端が後退し、光ファイバ５０は座屈して撓む。ジャック４０においては、光ファイバ５０の長さがプラグ１０のそれより短いために、光ファイバ５０は座屈しない。プラグ１０において座屈した光ファイバ５０が元の長さに伸びようとする弾性力（座屈力）が発生し、光ファイバ５０の先端面同士が押圧され、密着する。言い換えれば、光ファイバ５０の先端面同士は、ＰＣの状態となる。これにより、光ファイバ端面間の空気ギャップが消滅し、ここを通過する伝搬光にはフレネル反射が殆ど生じなくなり、反射戻り光の発生が非常に小さくなる。図１では、（ａ）接続前から（ｂ）接続時にかけてプラグ１０とジャック４０は対向する向きに押圧されており、プラグ・ハウジング１１とジャック・ハウジング４１の先端面同士の接触を維持するための部品（バネ等）については省略している。
【００１０】
本コネクタでは、ガイド部品２０のガイド孔２１のピッチ（間隔）は、高精度である必要はない。すなわち、光ファイバ５０をガイド孔２１に挿入する前において、光ファイバ５０の軸とガイド孔２１の軸とが多少ずれていても、ガイド孔端で内径が拡大される構造により、光ファイバ５０をガイド孔２１に誘導して挿入することが可能であり、ガイド孔２１の内径が所定の精度を有すれば、所定の光学特性での光ファイバ接続が可能である。また、光ファイバ５０の座屈による弾性力はそれほど大きくないので、１つの本コネクタで、数１０心の接続を実現することもできる。また、単心、数心程度の接続も可能である。光ファイバ５０は、０．２５ｍｍといった短い間隔で配置することが可能であり、光ファイバ５０の座屈による弾性力の総和もそれほど大きくならないため、コネクタを構成するハウジングも比較的小さくできる。これらのことにより、サイズが小さく、かつ接続心数が多い光コネクタを実現することができる。本コネクタでは、フェルールを用いないため、その分、製造コストは低くなる。ガイド部品２０は、構造がフェルールに近いが、上述のように、ＭＴコネクタやＭＰＯコネクタのように、ガイド孔２１のピッチが高精度である必要はないので低コストで製造することができる。本コネクタでは、ＰＣを利用した接続であるため、安定して接続特性を維持することができる。現在、一般に使用されている光コネクタの多くがＰＣを利用している。
【００１１】
しかしながら、上記光コネクタで使用するＰＳＣファイバは特殊な（一般的には使用されていない）光ファイバであり、上記光コネクタの利用が制限される場合もある。そこで、通常の光ファイバ（被覆を除去すると石英クラッドが露出する光ファイバ）の使用が可能であり、かつ上記コネクタと同様の接続原理を用いた光コネクタも存在する。
【００１２】
図２に、従来の第２の光コネクタの構造を示す。基本的には、構造や接続原理は、上記光コネクタと同様であるので、異なる事項についてのみ述べる。ガイド部品２１のガイド孔２１は、素線ガイド部２２と被覆ガイド部２３から構成される。素線ガイド部２２は、光ファイバ６０の素線（石英部分）の直径（約１２５μｍ）より僅かに大きい内径（約１２６μｍ）を有する。また被覆ガイド部２３は、光ファイバ６０の被覆の直径（約２５０μｍ）程度の内径を有する。プラグ１０およびジャック４０に収容される光ファイバ６０は、先端のみ被覆が除去されている。プラグ１０とジャック４０をアダプタに嵌合させると、被覆が除去されている光ファイバ先端は、素線ガイド部２２まで挿入され、被覆の先端は、被覆ガイド部２３に挿入される。座屈して撓む領域では、光ファイバ６０は被覆を有し、先端の素線領域では、光ファイバ６０は直線状態を維持する。これにより、光ファイバ６０の破断を防止することができる（特許文献２参照）。
【００１３】
以上に説明した２つの光コネクタの製造工程において、プラグ１０またはジャック４０を組み立てる（具体的には、プラグ・ハウジング１１またはジャック・ハウジング４１に光ファイバ６０を固定する）従来の手段について説明する。
【００１４】
従来の第１の光コネクタの場合、図３に示すように、プラグ・ハウジング１１には、光ファイバ５０を通して固定するための固定用孔１４を有している。ここで、固定用孔１４の内径は、光ファイバ素線の外径より若干大きい。光ファイバ５０の固定は、以下のように行う。先ず、固定用孔１４に光ファイバ５０を通すとともに、この固定用孔１４と光ファイバ５０との隙間に熱硬化型接着剤を浸透させる。次に、光ファイバ先端の位置、すなわち光ファイバ先端の突出長（ΔＬ）を調整した状態で、プラグ・ハウジング１１を加熱して、前記接着剤を硬化させ、光ファイバ５０を固定する。このような光ファイバの固定手段を「固定手段１」と呼ぶことにする。ここで、光ファイバ先端の突出長（ΔＬ）の調整は、図３に示すように、ΔＬだけ凹んだ凹みを有する位置決め治具７０を用いる。ファイバ先端は、位置決め治具７０の凹み部分に突き当て、プラグ・ハウジング先端はそれ以外の部分に突き当てる。ジャック・ハウジング４１に光ファイバ５０を固定する場合も同様である。ジャック・ハウジング４１ではΔＬはゼロなので、位置決め治具７０は平坦な面を使用することとなる。以後、プラグ・ハウジング１１およびジャック・ハウジング４１を一括して、ハウジングと呼ぶ。
【００１５】
次に、従来の第２の光コネクタの場合は、図４に示すように、ハウジングの光ファイバ６０を固定する部分には、光ファイバ６０を整列させるためのＶ溝を有する。光ファイバ６０は先端のみが被覆が除去されるので、ハウジングに固定される領域では、光ファイバ６０は被覆を有している。上記と同様に位置決め治具７０を用いて光ファイバ先端を位置決めした後、ハウジングのＶ溝上の光ファイバ６０に押さえ板１３を載せ、さらに押さえバネ１２の弾性力により荷重をかけてハウジングＶ溝と押さえ板１３で光ファイバ６０を挟むことにより、光ファイバ６０をハウジングに固定する。このように、機械的にハウジングに光ファイバ６０を固定する手段を「固定手段２」と呼ぶ。
【先行技術文献】
【特許文献】
【００１６】
【特許文献１】特開２０００−０５６１７８号公報
【特許文献２】特開２００８−２１６２７９号公報
【発明の概要】
【発明が解決しようとする課題】
【００１７】
従来の第１あるいは第２の光コネクタでは、接続中は、光ファイバ５０、６０を座屈させ、その座屈力でＰＣ接続を実現させているが、光ファイバ５０、６０をハウジングに固定する部分に着目すると、光ファイバ５０、６０の座屈力は、ハウジングに対して光ファイバ５０、６０が後退（光ファイバ長手方向かつ光ファイバ先端から遠ざかる方向に移動）するように作用する。もし、光ファイバ６０を用いる従来の第２の光コネクタに固定手段１を採用すると（この場合、ハウジングの固定用孔１４の内径は光ファイバ被覆外径｛一般的には被覆外径は約φ０．２５ｍｍ｝に合わせる）、被覆は比較的柔らかく伸張するために、前記の座屈力により、被覆は接着剤によりハウジングに固定された状態で、内部の石英部分が、ハウジングに対して後退してしまう。すなわち、前記突出長（ΔＬ）が減少し、ＰＣ接続が実現されなくなってしまう。一方、光ファイバ５０を用いる従来の第１の光コネクタに固定手段２を採用すると、Ｖ溝や押さえ板１３が光ファイバ５０のクラッド表面の薄いポリマ層５２を破り、石英部分の表面を加傷し、光ファイバ５０が破断する可能性が高くなる問題がある。
【００１８】
従来の第１の光コネクタに固定手段１を採用して組み立てる工程は、基本的には図３のような構成で行うが、実際の製造では、位置決め治具７０を含む組立装置（不図示）を用いて実施される。この組立装置は、ハウジング先端を位置決め治具７０に接触させた状態で仮固定する機能、光ファイバ５０を固定用孔１４に通し、さらに適度な力で先端を位置決め治具７０に突き当てる機能、ハウジングを加熱する機能等が備えられている。ハウジングを加熱したり、熱硬化型接着剤を硬化させたりするのにある程度の時間を要するが、位置決め治具７０を用いてハウジング先端からの光ファイバ５０の突き出し長さΔＬを決めた状態で接着剤を硬化させる必要がある。そのため、接着剤を硬化させる最中は、組立装置から外すことはできない。従って、前記組立装置におけるスループット（単位時間に光ファイバを装着できるプラグ１０またはジャック４０の個数）は余り多くできない。尚、加熱温度を高くすると接着剤の硬化時間を短くできるが、樹脂製のハウジングが劣化する可能性がある。また、ハウジングは、紫外線を殆ど透過しないので、紫外線硬化型接着剤は使用できない。
【００１９】
また、従来の第２の光コネクタに固定手段２を用いた場合、光ファイバ先端の位置決めをした後に、押さえ板を載せて押さえバネをはめ込むことにおり、比較的短時間で光ファイバ６０を固定できる。すなわち、組立装置についてのスループットを多くすることができる。しかし、この光コネクタが比較的高温の環境（例えば、装置内部）で使用される場合、光ファイバ６０の被覆部は柔らかくなり、かつ被覆部分と素線部との摩擦は減少するため、被覆部はハウジングに対して固定されても、前記座屈力によって被覆部が伸張して素線部がハウジングに対して後退してしまう可能性がある。つまり、ΔＬはゼロまたはそれに近くなって光ファイバは座屈しなくなり、光ファイバ端面同士のＰＣが解除され、所定の接続特性が発揮できなくなる可能性がある。光ファイバが高温になると被覆部に対して素線部が移動し易すくなることは、光ファイバ・ホットストリッパ（光ファイバを加熱して被覆を除去する装置）から容易に類推できる。押さえバネによる荷重を大きくすることにより、前記の光ファイバ素線部の移動を防止することは可能であると考えられるが、特に光コネクタにおける光ファイバ６０の心数（本数）が多い場合は、大きなクランプ力が必要になり、そのためには、押さえバネ１２、押さえ板１３、ハウジングの肉厚を厚くする必要があり、その結果、光コネクタのサイズが大きくなってしまう欠点が生じる。
【００２０】
本発明は、このような課題を鑑みてなされたもので、その目的は、小型、低コスト、高信頼性のＰＣ利用多心形光コネクタを提供することであり、光コネクタにおいて、光ファイバをハウジングに固定する部分のサイズを大きくせず、組み立て時間を短縮し、光ファイバの固定についての長期信頼性を確保することである。
【課題を解決するための手段】
【００２１】
上記の課題を解決するために、請求項１に記載の発明は光ファイバを接続する光コネクタであって、前記光ファイバを収容するハウジング、第１の面と該第１の面に対して垂直で対向する第２の面および第３の面とを有した紫外線を透過するガラス部材、および挿入された前記光ファイバを調心するガイド孔を有するガイド部品を備え、前記ハウジングは、前記光ファイバを整列させるための溝を有する底面と、前記溝の長手方向に離間して配置され、前記底面に対して垂直な垂直面を有する第１のストップ部および第２のストップ部を有し、前記ガラス部材は、前記第２の面と前記第１のストップ部の垂直面とが対向し、前記第３の面と前記第２のストップ部の垂直面とが対向するように、前記第１および第２のストップ部の間に配置され、前記光ファイバの中間部分は、前記底面と前記ガラス部材の第１の面に挟まれ、前記ガラス部材の第１の面と前記底面とで光ファイバを挟んだ領域、前記第１のストップ部の垂直面と前記ガラス部材の第２の面との隙間、および前記第２のストップ部の垂直面と前記ガラス部材の第３の面との隙間に紫外線硬化型樹脂が充填されることにより、前記ハウジングに対して前記光ファイバが固定されることを特徴とする。
【００２４】
請求項２に記載の発明は、請求項１に記載の光コネクタにおいて、前記光コネクタは、前記光ファイバが前記ガラス部材と前記ハウジングに挟まれた固定領域と先端との間に被覆を有する光コネクタであって、前記光ファイバは、前記固定領域において、前記光ファイバの長手方向の中間部分に被覆が除去された領域、前記光ファイバの長手方向の両端部分に被覆を有する領域をそれぞれ有していることを特徴とする。
【００２５】
請求項３に記載の発明は、請求項１又は２に記載の光コネクタにおいて、前記ガラス部材は、前記光ファイバに対向する面の中央に該面に対して直角方向に貫通する孔、もしくは、前記光ファイバに接する面に直角かつ前記光ファイバの長手方向に平行な面から前記光ファイバに対向する面の中央に向かうスリットを有することを特徴とする。
【発明の効果】
【００２６】
本発明は、光コネクタにおいて、光ファイバをハウジングに固定する部分のサイズを大きくせず、組み立て時間を短縮し、低コストで光ファイバの固定についての長期信頼性を高める効果を奏する。
【図面の簡単な説明】
【００２７】
【図１】従来の第１の光コネクタの構成を示す構成図である。
【図２】従来の第２の光コネクタの構成を示す構成図である。
【図３】光ファイバをプラグ・ハウジングに固定するための従来の固定手段１を用いた光コネクタの構成、および光ファイバ先端の位置決めを行う手段を示す構成図である。
【図４】光ファイバをプラグ・ハウジングに固定するための従来の固定手段２を用いた光コネクタの構成、および光ファイバ先端の位置決めを行う手段を示す構成図である。
【図５】本発明の第１の実施形態に係る光コネクタの構成図である。
【図６】光ファイバの座屈により、ガラス部材にかかる力を説明するための説明図である。
【図７】本発明の第１の実施形態に係る光コネクタの構成図である。
【図８】本発明の第２の実施形態に係る光コネクタの構成図である。
【図９】本発明の第３の実施形態に係る光コネクタの構成図である。
【図１０】ガラス部材がハウジングに固定される状態を説明するための説明図である。
【図１１】本発明の第４の実施形態に係る光コネクタの構成図である。
【図１２】本発明の第５の実施形態に係る光コネクタの構成図である。
【図１３】本発明の第６の実施形態に係る光コネクタの構成図である。
【発明を実施するための形態】
【００２８】
以下、図面を用いて本発明の実施形態について、詳細に説明する。
【００２９】
［実施形態１］
図５は、本発明に第１の実施形態に係る光コネクタのプラグの構成である。本コネクタは、従来の第１の光コネクタに属する。従来の第１の光コネクタの構成や接続原理については、先に示した通りである。ここでは、本発明に係る光コネクタと従来の第１の光コネクタとで異なる事項、すなわち、光ファイバ５０をプラグ・ハウジング１１またはジャック・ハウジング４１に固定するための手段（構造、工程）について主に説明する。プラグ・ハウジング１１およびジャック・ハウジング４１に光ファイバ５０を固定する手段は、基本的には同じであるので、以後、プラグ・ハウジング１１およびジャック・ハウジング４１を「ハウジング」と呼ぶ。
【００３０】
図５に示す本光コネクタのプラグ１０は、８本の光ファイバを一括して接続する８心形のものである。本光コネクタでは、光ファイバ５０として、クラッド表面に薄いポリマ層５２を有するＰＳＣファイバを用いる。本光ファイバにおいて、ガイド部品のガイド孔（不図示）に挿入される領域、接続中に座屈する領域、ハウジングに固定される領域の大半では、被覆が除去された素線状態となっている。ハウジングは樹脂を材料として、射出成形法により作製される。
【００３１】
光ファイバ５０は、ハウジングとガラス部材１５とに挟まれ、さらにハウジングとガラス部材１５とのギャップ（光ファイバの周囲）に接着剤を充填して硬化させることにより、ハウジングに対して固定される。ハウジングとガラス部材１５に挟まれ、かつ接着剤が充填される領域を「固定領域」と呼ぶことにする。
【００３２】
光ファイバ５０を固定するためのハウジングの部分には、ハウジングに対して光ファイバ５０を整列（各光ファイバを所定の方向、間隔に配置）するためのＶ溝を有する。光ファイバ５０は、素線部分がＶ溝とガラス部材とに挟まれることにより、整列する。接着剤としては、紫外線硬化型接着剤が用いられる。
【００３３】
被覆を有する光ファイバ領域の一部も固定領域内に収められる。これは、光ファイバの破断防止を目的としている。もし、固定領域全体で光ファイバ５０が素線状態にすると、光コネクタの外側かつ固定領域の端の光ファイバ部分でも素線状態となり、ハウジングまたはガラス部材１５のエッジによりポリマ層５２が剥がれ、さらに石英部分も加傷され、その部分で光ファイバ５０が折れ易くなってしまう。上記のように被覆を有する光ファイバ領域の一部を固定領域に収め、かつ素線状態の光ファイバ領域では、ガラス部材１５と光ファイバ５０とを接近させ、ハウジングとガラス部材１５とのギャップが厚くならないように、ガラス部材１５の下側（光ファイバ５０に対向する側）には、素線状態の光ファイバ領域と被覆を有する光ファイバ領域との間に段差が設けられている。
【００３４】
本光コネクタを組み立てる（光ファイバをハウジングに固定する）工程では、（１）ハウジングに光ファイバ５０をセットし、（２）接着剤を所定量だけ滴下し、（３）ガラス部材１５をハウジングにセットし（光ファイバ５０をＶ溝とガラス部材１５とで挟み整列させる）、（４）光ファイバ先端の位置決めを行い、（５）紫外線を照射して、該接着剤を硬化させる。これら一連の組立工程は、位置決め治具７０等を含む上述の組立装置（不図示）を用いて実施される。
【００３５】
本光コネクタが接続されている際、図６に示すように、固定領域における光ファイバには、後退する（光ファイバ先端から遠ざかる）向きに座屈力がかかる。この座屈力は、光ファイバ５０に接着しているガラス部材１５に対してもハウジングから後退させる向きに作用する。また、図６に示すように、光ファイバが座屈して上方向に撓んだ場合、ガラス部材１５を回転させて、光ファイバ５０をガラス部材１５と共にハウジングから剥離させようとする回転モーメントがガラス部材１５に作用する。一般的に、樹脂部材と紫外線硬化型接着剤との接着性はそれほど良好ではない。もし、単にガラス部材１５と光ファイバ５０とが接着されているだけなら、光ファイバ５０とハウジングとが剥離した場合、光ファイバ５０はガラス部材１５と共に後退してしまう。これにより、実質的にハウジング先端からの光ファイバ先端の突出長（ΔＬ）が減少し、所定の接続特性が発揮できなくなってしまう。以上のように光ファイバ５０の座屈によりガラス部材１５を後退させたり、回転させたりする力は、光コネクタにおける光ファイバ５０の数（心数）が多くなるほど大きくなる。そこで、ガラス部材１５の横側面１５ｃとハウジングとが接触またはそれに近い状態になるようにし、言い換えれば、ハウジングの垂直面同士の間隔（Ｗ）に対してガラス部材１５の幅は、僅かに小さくなるようにし、横側面１５ｃと垂直面とのギャップにも接着剤を充填し、両者を接着する。
【００３６】
光ファイバ５０がガラス部材１５と共にハウジングから剥離するのを、より確実に防止し、信頼性をより高めるためには、図７に示すように、押さえバネ１２を嵌め込む。押さえバネは、ガラス部材１５をハウジングに向かって押圧し、前記剥離を防止する。
【００３７】
本光コネクタの組立においては、接着剤として紫外線硬化型接着剤を用いるので、一般的には、熱硬化型接着剤を用いた場合と比較して、ある程度の高い強度の紫外線を照射することにより、短時間で接着剤を硬化させることができる。これにおり、光コネクタのプラグ（またはジャック）１個あたりの組立時間を短くすることができる。組立装置にハウジングをセットした状態で接着剤が完全に硬化するまで紫外線を照射する必要はなく、光ファイバ５０がハウジングに対して多少の力では動かなくなる程度まで、組立装置において紫外線を照射した後、組立装置からプラグ１０またはジャック４０を外し、別途、紫外線を照射して、接着剤を完全に硬化させてもよい。この際は、複数のプラグ１０またはジャック４０について、一括して紫外線を照射する。この手法により、プラグまたはジャック１個あたりの組立時間を更に短縮することができる。
【００３８】
一般的に、紫外線硬化型接着剤はガラス部材との接着性が良好であり、強固に光ファイバを固定することができる。言い換えれば、光ファイバ５０を固定する部分の光ファイバ長手方向の長さを短くしてハウジングを小型化したり、あるいは、信頼性を良好に、すなわち、使用中に光ファイバがハウジングに対して位置ずれせずに、接続特性を維持することができる。
【００３９】
ガラス部材１５の機械的強度は高く、また長期的にみた材質の劣化も小さい。ガラス部材１５の寸法は、数ｍｍ角であり、ある程度のサイズのガラス板をスライスして製造することができる。段差部分（被覆と接触する部分）も、スライス工程において、切り込み深さを段差の分だけにすることにより、比較的容易に形成することができる。このガラス板の厚さは、余り高精度である必要はない。すなわち、ガラス部材１５は、低コストで量産することができる。
【００４０】
また、ガラス部材１５は透明であるので、固定領域における接着剤の浸透状況を観察することができる。接着剤の浸透が不十分な場合は、滴下する接着剤を追加し、固定が不十分な光ファイバ５０を有する不良品の発生を防止することができる。あるいは、接着剤の浸透が不十分なまま接着剤を硬化させしまっても、それを知ることができ、不良品として、出荷を抑えることができる。
【００４１】
本実施形態で示したプラグ１０またはジャック４０は、光ファイバ同士を接続する目的以外にも適用することができる。例えば、半導体レーザやフォトダイオードを有する光部品と光ファイバとを接続する目的にも使用できる。このような利用形態では、コネクタにおいて光ファイバを座屈させない場合もあり、この場合は、ＰＳＣファイバを使用する必要はない。
【００４２】
［実施形態２］
本発明に係る第２の実施形態について説明する。
【００４３】
図８に、実施形態２に係る光コネクタのプラグを示す。基本的には、実施形態１で示した（図５の）プラグと同様である。光ファイバ５０を固定するための固定領域の後側（光ファイバ先端から遠ざかる側）のハウジング部分には、ストッパ部１６が設けられている。ガラス部材１５の後側面１５ａとストッパ部１６とが接触またはそれに近い状態になるように、ガラス部材１５は配置される。さらに、ガラス部材１５の後側面１５ａとストッパ部１６との間には、接着剤が充填される。
【００４４】
上述のように、光コネクタを接続している時は、光ファイバの座屈により、ガラス部材にもハウジングに対して後退する方向に荷重がかかる。上記の構成におり、ガラス部材が後退することを防止することができる。ガラス部材の横側面にも接着剤は充填され、ガラス部材の後退と回転の防止に寄与している。
【００４５】
特に、光コネクタの心数多い場合（目安として８心以上）、ガラス部材に作用する力の総和は大きくなるので、前記ストッパ部分１６を設けることの重要性は高くなる。ここで、ハウジングにガラス部材１５を取り付けた際、ガラス部材後側面１５ａとストッパ部１６とは必ずしも接触するとは限らないので、両者のギャップには、紫外線硬化型接着剤を浸透させておく。
【００４６】
２箇所のストッパ部１６の間隔（Ｗｆ）は、全光ファイバが整列したときの幅（図７の光コネクタの例では、光ファイバ８本分の幅）と一致させる。光ファイバ５０をハウジングにセットした際、ガラス部材１５の位置決め（長手方向）が容易になり、各光ファイバは所定のＶ溝に収まり易くなる。
【００４７】
［実施形態３］
本発明に係る第３の実施形態について説明する。
【００４８】
図９に、実施形態３に係る光コネクタのプラグを示す。基本的には、実施形態２に示した（図８）のプラグと同様である。固定領域の後側のハウジング部分には、ストッパ部１６が設けられる。さらに、固定領域の前側（光ファイバ先端に近づく側）にも、ストッパ部１７が設けられている。ガラス部材１５の後側面１５ａとストッパ部１６とが、またガラス部材１５の前側面１５ｂとストッパ部１７とが接触またはそれに近い状態になるように、ガラス部材１５の長さ（光ファイバ長手方向）は設定される。すなわち、ガラス部材１５の長さは、ストッパ部１６とストッパ部１７との間隔より、僅かに短くなるようにする。後側面１５ａとストッパ部１６、前側面１５ｂとストッパ部１７とのギャップには、接着剤が充填される。光コネクタ接続時に光ファイバ５０の座屈力により、ガラス部材１５がハウジングに対して後退するのをストッパ部１６により防止される。また、図１０に示すように、座屈により光ファイバ５０が上方向に撓む場合には、ガラス部材１５を回転させようとする曲げモーメントも作用する。ガラス部材１５の後側面１５ａは、ストッパ部１６により、それ以上は後退できず、また前側面１５ｂは、ストッパ部１７により、それ以上は前進できないので、図１０において波線で描いたガラス部材のように、回転することはできない。すなわち、光ファイバ５０がハウジングから剥離することを防止することができる。これにより、実施形態１に係る図７の光コネクタのプラグ１０のように、押さえバネ１２を使用する必要なくなる。
【００４９】
ガラス部材１５をハウジングにセットする際、ストッパ部１６、ストッパ部１７により、容易にガラス部材１５の位置決めができる。ガラス部材１５は、ハウジングの上からハウジングに向かって降下させる単純な動作により、ハウジングの所定の位置にセットできるので、ガラス部材１５をハウジングにセットする作業を自動化することが容易になる。また、光ファイバ先端の位置決めを行う際、光ファイバ５０を長手方向に移動させても、ガラス板１５は所定の位置に維持することができる。これらのことは、組立時間の短縮に繋がる。
【００５０】
光コネクタの接続時においては、光ファイバ５０が座屈して、図１０のように上向きに光ファイバ５０が撓むと、ガラス部材１５の前方（光ファイバ先端に近い側）にはハウジングから押し上げようとする回転モーメントも作用する。すなわち、ガラス部材１５を回転させようとする力が作用する（回転方向は、図１０内の波線で描いたガラス部材１５を参照）。特に、光コネクタの心数が多い場合（目安として８心以上）には、その回転モーメントは大きくなり、ガラス部材１５が回転し、すなわちハウジングと接着剤とが剥離し、光ファイバ５０と共にガラス部材１５が浮き上がる可能性が高くなる。
【００５１】
実施形態３に係る光コネクタでは、長手方向についてのストッパ部１６とストッパ部１７との対向する側面間の間隔に対してガラス部材１５の長さは、僅かに小さくなるように設定する。ガラス部材１５をハウジングにセットすると、ストッパ部１６側面とガラス部材後側面１５ａ、ストッパ部１７側面とガラス部材前側面１５ｂとは、接触またはそれに近い状態になる。この構成では、たとえ接着剤が無い場合でも、ガラス部材１５は、方向を変えずに真上（ハウジングから離れる方向）に移動することはできても、回転することは殆どできなくなる。さらに、ストッパ部１６側面とガラス部材後側面１５ａ、ストッパ部１７側面とガラス部材前側面１５ｂとの隙間に接着剤が充填され硬化した状態になれば、より強固にガラス部材１５の回転を防止することができる。これにより、押さえバネを用いずに剥離防止効果を高めることができる。
【００５２】
また、組み立てにおいて、ガラス部材１５をハウジングにセットする際、ストッパ部分１６およびストッパ部１７により、ガラス部材の位置決めが容易になる。さらに、光ファイバ先端の位置決めを行う際、ハウジングに対して光ファイバを移動させても、ガラス部材１５の位置を保つことができる。
【００５３】
［実施形態４］
本発明に係る第４の実施形態について説明する。
【００５４】
図１１に、実施形態４に係る光コネクタのプラグを示す。本コネクタは、従来の第２の光コネクタに属する。光ファイバとして、被覆を除去し素線状態にすると石英クラッドが露出する通常の光ファイバ６０が用いられる。光コネクタを接続している時に座屈する光ファイバ６０の領域には被覆を有する。光ファイバ６０を固定するためのハウジング部分の構造は、実施形態３の光コネクタのプラグ１０と同様で、ガラス部材１５をハウジングに固定するためのストッパ部１６、ストッパ部１７を有する。固定領域において、光ファイバ６０の一部の領域は、被覆が除去され素線の状態になっている。この領域では、石英クラッドが直接、接着剤に接している。
【００５５】
一般的に、紫外線硬化型接着剤と石英とは接着性が良好であり、光ファイバ６０は強固にハウジングに固定される。もし、固定領域全体で光ファイバ６０が被覆を有している場合、被覆が良好に接着されハウジングに対して固定されたとしても、被覆は比較的柔らかく伸張するので、座屈力により内部の素線（石英部分）がハウジングに対して後退する可能性がある。特に、光コネクタが装置内といった比較的高温の環境下では、その可能性は高い。
【００５６】
光ファイバ６０の長手方向に関して、被覆が除去されている素線領域の長さは、固定領域の長さ（ガラス部材１５の長さ）より短く、固定領域内の前側（光ファイバ先端に近い側）および後側（光ファイバ先端から遠い側）の一部領域では、光ファイバ６０は被覆を有している。光ファイバ６０は、固定領域内ではほぼ直線の状態であるが、固定領域の外側では湾曲する。一般的に、光ファイバ６０は素線状態で湾曲すると折れる可能性が高くなる。固定領域内にも光ファイバ６０が被覆を有することにより、固定領域の外側では、必ず被覆を有していることになる。
【００５７】
もし、固定領域全体で光ファイバが素線となっている場合、光ファイバ６０は固定領域の直ぐ外側から湾曲が始まるので、実際には素線部分も一部湾曲することになる。また、ガラス部材１５のエッジで素線表面が傷つき、湾曲により破断する可能性もある。以上のように、光ファイバ６０が固定領域内にも被覆を有することにより、光コネクタ内の座屈による湾曲や、光コネクタ外側の光ファイバ６０の配線による湾曲により、光ファイバ６０が破断することを防止することができる。
【００５８】
ガラス部材１５は、その下側の面には、光ファイバ６０の被覆を有する領域と有しない領域の形状に合わせて、２箇所に段差がある。また、ハウジングには、固定領域内において光ファイバ６０の素線領域を整列させるためのＶ溝を有している。
【００５９】
本光コネクタの製造において、固定領域にかかる光ファイバ６０の部分的被覆の除去は、高強度のレーザ光を照射する方法、熱風を吹きかける方法、カンナの要領で被覆を機械的に剥がす方法などを用いて、実施することができる。
【００６０】
［実施形態５］
本発明に係る第５の実施形態について説明する。
【００６１】
図１２に、実施形態５に係る光コネクタのプラグを示す。本コネクタは、基本的には実施形態４に示した光コネクタと同様である。但し、ガラス部材１５の構造が異なる。ガラス部材１５の光ファイバ６０に対向する下面は、平坦である。また、ガラス部材１５の光ファイバ６０に対向する下面の中央には、光ファイバ長手方向と光ファイバ並び方向に対して直角な方向、すなわちガラス部材１５の光ファイバ６０に対向する下面に対して垂直方向に空けられた貫通孔１８を有している。固定領域において、ガラス部材１５の下面は、光ファイバ６０の被覆と接触するので、光ファイバ６０の被覆が除去されている領域では、素線とガラス部材下面とには多少の隙間ができる。
【００６２】
さて、本光コネクタを組み立てる第１の手順は、以下のようになる。（１）ハウジングに光ファイバ６０をセットし、（２）接着剤を所定量だけ滴下し、（３）ガラス部材１５をハウジングにセットし（光ファイバをＶ溝とガラス部材とで挟み整列させる）、（４）光ファイバ先端の位置決めを行い、（５）紫外線を照射して、該接着剤を硬化させる。上記（３）においては、ハウジングとガラス部材１５との間に気泡ができてしまう場合がある。気泡ができると接着強度が減少し信頼性が損なわれる可能性がある。本実施形態では、ガラス部材中央に貫通孔１８があるために、そこから気泡を排除することができる。言い換えれば、本光コネクタの信頼性を向上させることができる。あるいは、光コネクタを製造した後の検査において、気泡の存在が分かれば（ガラス部材は透明なので、顕微鏡等で観察することができる）、不良品となるので、気泡の発生を抑制できることは、製造歩留まりの向上に繋がる。
【００６３】
本光コネクタを組み立てる第２の手順は、以下のようになる。（１）ハウジングに光ファイバ６０をセットし、（２）ガラス部材１５をハウジングにセットし、（３）光ファイバ先端の位置決めを行い、（４）接着剤を所定量だけ滴下し、ハウジングとガラス部材１５の間に浸透させ、（５）紫外線を照射し、該接着剤を硬化させる。（４）においては、ガラス部材中央の貫通孔１８から接着剤を浸透させる。前述のように、ガラス部材下面と光ファイバ素線とには若干の隙間があるので、接着剤は、固定領域全体に浸透することができる。ガラス部材中央の貫通孔１８から浸透させるため、固定領域全体に浸透させる時間を短縮することができる。すなわち、貫通孔１８がない場合は、ガラス部材の後側面付近の光ファイバ上に接着剤を滴下し、前側面まで浸透させるので、浸透させる距離が長くなり、浸透に要する時間が長くなる。
【００６４】
［実施形態６］
本発明に係る第６の実施形態について説明する。
【００６５】
図１３に、実施形態６に係る光コネクタのプラグを示す。本コネクタは、基本的には実施形態４に示した光コネクタと同様である。但し、ガラス部材１５の下面は実施形態４と同様に平坦であるが、ガラス部材中央の貫通孔１８の代わりに、横側面の２箇所に、光ファイバ長手方向および光ファイバ並び方向に直角の方向、すなわちガラス部材１５の光ファイバ６０に対向する下面に対して垂直方向に形成されたスリット１９を有する。
【００６６】
本光コネクタを組み立てる第１の手順においては、スリット１９付近に発生した気泡は、そのスリット１９から気泡を排除することができる。すなわち、気泡を有したまま接着剤を硬化させてしまう可能性を低減することができる。また、第２の手順においては、そのスリット１９から接着剤を浸透させることにより、固定領域全体に浸透させる時間を短縮することができる。
【００６７】
実施形態１から６までは、光コネクタは、８心形（１つの光コネクタで８本の光ファイバ同士を接続するもの）としたが、本発明は、それに限定されず、１（単）心形、数心形、数１０心形、あるいはそれ以上の場合にも適用することができる。
【符号の説明】
【００６８】
１０  プラグ
１１  プラグ・ハウジング
１２  押さえバネ
１３  押さえ板
１４  固定用孔
１５  ガラス部材
１６、１７  ストッパ部
１８  貫通孔
１９  スリット
２０  ガイド部品
２１  ガイド孔
２２  素線ガイド孔
２３  被覆線ガイド孔
３０  アダプタ
４０  ジャック
４１  ジャック・ハウジング
４２  押さえバネ
４３  押さえ板
５０  光ファイバ（ＰＳＣ）
５１  被覆
５２  ポリマ層
５３  クラッド
５４  コア
６０  光ファイバ
７０  位置決め治具
【図１】
0005462080.tif 000002
【図２】
0005462080.tif 000003
【図３】
0005462080.tif 000004
【図４】
0005462080.tif 000005
【図５】
0005462080.tif 000006
【図６】
0005462080.tif 000007
【図７】
0005462080.tif 000008
【図８】
0005462080.tif 000009
【図９】
0005462080.tif 000010
【図１０】
0005462080.tif 000011
【図１１】
0005462080.tif 000012
【図１２】
0005462080.tif 000013
【図１３】
0005462080.tif 000014